(57)【要約】【課題】ＡＴＣＡボードの多層ハードディスクシャシモジュールを提供する。【解決手段】ＡＴＣＡボードは、基板１上にＲＴＭ２を配置し、ＲＴＭ２は連結部２２を有し、接続装置３の複数のコネクタ３２に電気的に接続される。複数のコネクタ３２はシャシモジュール４内のハードディスク５に電気的に接続される。シャシモジュール４内のハードディスク５は多層構造で、ネジ４１４によりシャシ４１の側壁４１３に締付固定されることにより、ＡＴＣＡボードの基板１の空間を占有することがなく、基板１上の配線設計に影響を及ぼさない。ハードディスク５はネジ４１４を利用してシャシ４１の側壁４１３のネジ穴４１３１にそれぞれ締付固定されるため、組立が簡単で迅速に行なうことができ、時間および工程の短縮が可能になった。【選択図】図２
0003127818.tif 000002
【実用新案登録請求の範囲】
【請求項１】
複数のハードディスクを基板上に配置し、接続装置を介して信号を伝達するシャシモジュールであって、
ＡＴＣＡボード、接続装置および前記シャシモジュールからなるＡＴＣＡ規格のブレードサーバの多層ハードディスクシャシモジュールであって、
前記ＡＴＣＡボードは前記基板上にＲＴＭを有し、前記ＲＴＭは連結部を有し、前記連結部は前記接続装置の接続板のコネクタに電気的に接続され、複数の前記コネクタは前記接続板を介して通電し、
前記ＲＴＭに前記シャシモジュールを配置し、複数の前記ハードディスクに位置を固定する枠形のシャシを配置し、前記シャシ内は前記ハードディスクを配置する収納空間であり、前記シャシの側面には前記接続板に固定される固定部があり、複数の前記ハードディスクは前記シャシの前記固定部に対応し、各前記ハードディスクは前記コネクタに電気的に接続される前記連結部を有することを改良内容とすることを特徴とするＡＴＣＡボードの多層ハードディスクシャシモジュール。
【請求項２】
ＡＴＣＡボードは側面に側面板を配置し、前記側面板は複数の電気接続器を配置し、各前記電気接続器は前記ＲＴＭに電気的に接続されることを特徴とする請求項１に記載のＡＴＣＡボードの多層ハードディスクシャシモジュール。
【請求項３】
前記接続装置の接続板に配置されるコネクタはＳＡＴＡコネクタ、ＳＡＳコネクタ、ＦＣコネクタおよびＵＳＢコネクタなどのコネクタであることを特徴とする請求項１に記載のＡＴＣＡボードの多層ハードディスクシャシモジュール。
【考案の詳細な説明】
【技術分野】
【０００１】
本考案は、ＡＴＣＡボードの多層ハードディスクシャシモジュールに関し、特にハードディスクの拡張ができ、接続装置を介して信号を伝達するシャシモジュールで、ハードディスクは多層構造による組立方法を用いて組み立てるため、基板上の空間を占有せず、基板の配線に都合が良いＡＴＣＡボードの多層ハードディスクシャシモジュールに関する。
【背景技術】
【０００２】
インターネットの情報量に対応するため、数十から数百もの比較的低コストの小型サーバを備え、ネットワーク情報量のニーズに対処している企業が多くなっている。経済的効率をさらに高めるため、ブレードサーバが開発された。ブレードサーバとは、マイクロプロセッサ、メモリやハードディスクなどを１枚の回路基板上に統合したもので、単に「ブレード」とも呼ばれている。
【０００３】
ブレードサーバの収納ラックには、通常数十枚以上のブレードサーバの搭載が可能である。１枚のブレードサーバは、１台のサーバに相当し、収納ラック、ディスプレ、キーボードおよび給電ユニットを共有できるため、大型データセンタとして統合できる。また、ブレードサーバラック内部にはデータベースの関連情報を提供するスマートシステムが設置され、スマートシステムはネットワークされたブレードサーバのリソース、特定ジョブ、またはブレードサーバ上で執行されるアプリケーションプログラムを分離することができ、ブレードサーバの収納ラック内のブレードサーバに最大限の柔軟性を与える。ブレードサーバが最も注目されるのは、その高い信頼性と高集積度である。ブレードサーバは、それぞれがバックアップ機能を有し、ブレードサーバの収納ラックはブレードとシステム部品のホットスワッピングを支援するため、極めて高い実用性をさらに提供することができる。もし、あるブレードサーバが、サーバを停止する必要がない状況下で、作動不能に陥った場合、他のブレードサーバが替わりを果たす。処理能力を上げたい場合、さらに多くのブレードサーバを使い、これらをニーズの最も高いところに配置すれば良いのである。
【０００４】
現在使用されているＡＴＣＡボードは、ユーザがブレードサーバを挿入するための複数のブレードサーバスロット（Blade Slots）を備える。ブレードサーバに処理過程で必要なデータを保存させるため、ブレードサーバのＡＴＣＡボードをハードディスクの保存部に電気的に接続させなければならない。しかし、ＡＴＣＡボードにハードディスクを設置するには、空間の運用および信号の伝達方法などについて考慮しなければならないので、ＡＴＣＡボードには１つのハードディスクしか設置できない。参考文献１に開示されたＡＴＣＡボードは、図５に示すように、ブレードサーバケースＡは接続板A１および第２の固定部A２を有し、接続板A１は第１の接続器A１１を有し、第１の接続器A１１はインターフェイスモジュールモジュールＢが対応する縦方向の第２の接続器B１に接続され、インターフェイスモジュールモジュールBをブレードサーバケースAの定位部A３に横方向に固定し、インターフェイスモジュールモジュールBの第１の固定部B２は第２の固定部A２に固定される。このブレードサーバプラットフォームは、操作時において、構造および装置に以下のような多くの欠点があった。第１に、インターフェイスモジュールモジュールＢは、ブレードサーバケースAの収納空間A４をすべて占めてしまい、片側に接続板A１を配置するのみで、ブレードサーバケースA内の配線の配置に影響を与えた。第２に、インターフェイスモジュールモジュールＢは、第２の接続器B１により接続板A１の第１の接続器A１１に接続され、第１の固定部B２はブレードサーバケースAに固定され、横方向では定位部A３に固定され多方向の固定は組立構造の困難度を増し、時間や工程を浪費してしまう。第３に、ブレードサーバケースA内部にはインターフェイスモジュールモジュールBしか配置できないため、インターフェイスモジュールモジュールBを拡張する空間がなく、ブレードサーバケースAの拡張機能に影響を与えやすい。以上の３点をいかに解決するかが当面の課題であった。
【特許文献１】台湾特許第９４２１３５６１号公報
【考案の開示】
【考案が解決しようとする課題】
【０００５】
本考案の目的は、ＡＴＣＡボードの拡張において収納空間を占有せず、ハードディスクを多層構造にすることにより構造の安定性を高め、迅速に組立を行なうことができるＡＴＣＡボードの多層ハードディスクシャシモジュールを提供することにある。
【課題を解決するための手段】
【０００６】
上述の目的を達成するために、本考案は、ＡＴＣＡボードの多層ハードディスクシャシモジュールを提供する。本考案のＡＴＣＡボードは、基板上にＲＴＭを配置し、ＲＴＭは連結部を有し、接続装置の複数のコネクタに電気的に接続される。複数のコネクタはシャシモジュール内のハードディスクに電気的に接続される。シャシモジュール内のハードディスクは多層構造で、空間を占有せずにハードディスクが拡張できる。
【０００７】
本考案のＡＴＣＡボードの多層ハードディスクシャシモジュールは、複数のハードディスクを基板上に配置し、接続装置を介して信号を伝達するシャシモジュールであって、
ＡＴＣＡボード、接続装置および前記シャシモジュールからなるＡＴＣＡ規格のブレードサーバの多層ハードディスクシャシモジュールであって、
前記ＡＴＣＡボードは前記基板上にＲＴＭを有し、前記ＲＴＭは連結部を有し、前記連結部は前記接続装置の接続板のコネクタに電気的に接続され、複数の前記コネクタは前記接続板を介して通電し、
前記ＲＴＭに前記シャシモジュールを配置し、複数の前記ハードディスクに位置を固定する枠形のシャシを配置し、前記シャシ内は前記ハードディスクを配置する収納空間であり、前記シャシの側面には前記接続板に固定される固定部があり、複数の前記ハードディスクは前記シャシの前記固定部に対応し、各前記ハードディスクは前記コネクタに電気的に接続される前記連結部を有することを改良内容とすることを特徴とする。
【０００８】
ＡＴＣＡボードは側面に側面板を配置し、前記側面板は複数の電気接続器を配置し、各前記電気接続器は前記ＲＴＭに電気的に接続されることを特徴とする。
【０００９】
前記接続装置の接続板に配置されるコネクタはＳＡＴＡコネクタ、ＳＡＳコネクタ、ＦＣコネクタおよびＵＳＢコネクタなどのコネクタであることを特徴とする。
【考案の効果】
【００１０】
上述したことからわかるように、本考案のＡＴＣＡボードの多層ハードディスクシャシモジュールは、実際の使用において、以下の３つの利点がある。第１に、ハードディスクは多層構造で、ネジによりシャシの側壁に締付固定されることにより、ＡＴＣＡボードの基板の空間を占有することがなく、基板上の配線設計に影響を及ぼさない。第２に、ハードディスクはネジを利用してシャシの側面にある側壁のネジ穴にそれぞれ締付固定されるため、組立が簡単で迅速に行なうことができ、時間および工程の短縮が可能になった。第３に、ハードディスクは基板の上に積み重ねて配置され、基板がハードディスクを拡張するのに都合がよく、また基板の空間を占有することがない。
【考案を実施するための最良の形態】
【００１１】
以下、本考案の実施形態を図面に基づいて説明する。図１〜３は本考案の一実施形態によるＡＴＣＡボードの多層ハードディスクシャシモジュールを示す斜視図である。図１〜３に示すように、本考案のＡＴＣＡボードの多層ハードディスクシャシモジュールは、基板１、ＲＴＭ２、接続装置３およびシャシモジュール４からなる。基板１は縦方向の端部に側面板１１を配置する。ＲＴＭ（Rear  Transition  Module、ＲＴＭ）２は複数の電子部品および電気接続器２１を有し、横方向の端部に金属接点の連結部２２を有する。接続装置３は配線が施されている接続板３１に複数のコネクタ３２を有する。シャシモジュール４は枠形のシャシ４１を有し、シャシ４１の内部は収納空間４１１を有し、シャシ４１の一方の端部に固定部４１２を有し、固定部４１２は締付穴４１２１を有する。固定部４１２の他方の端部にあるシャシ４１の２つの相対する側壁４１３上にはそれぞれネジ穴４１３１があり、ネジ穴４１３１はそれぞれネジ４１４に締付固定される。
【００１２】
上記した部品を使った本考案のＡＴＣＡボードの多層ハードディスクシャシモジュールの組立方法は以下の通りである。基板１にＲＴＭ２を固定する。基板１の側面板１１は、ＲＴＭ２の縦方向の端部にある電気接続器２１に固定され、またＲＴＭ２の横方向の端部の連結部２２により接続装置３の接続板３１のコネクタ３２に電気的に接続される。接続装置３は接続板３１により基板１に固定され、同じく接続板３１によりシャシモジュール４のシャシ４１の側面にある固定部４１２に接触し、ネジ４１４により締付穴４１２１を通して接続板３１に締付固定される。シャシモジュール４はシャシ４１の収納空間４１１に内に複数のハードディスク５を収納し、ハードディスク５は積み重ねられ、収納空間４１１内に収納される。ハードディスク５をシャシ４１内に確実に固定するため、複数のネジ４１４により側壁４１３のネジ穴４１３１を通してハードディスク５の縦方向側面の複数の締付ネジ穴５１をそれぞれ締付固定する。ハードディスク５の横方向の側面にある連結部５２は接続装置３のコネクタ３２に電気的に接続されることにより、ハードディスク５を接続装置３の接続板３１に電気的に接続する。接続装置３およびＲＴＭ２を介してハードディスク５を通電させることにより、信号伝達の読取および保存を行なうことができる。以上が本考案のＡＴＣＡボードの多層ハードディスクシャシモジュールである。
【００１３】
図４は本考案の一実施形態によるＡＴＣＡボードの多層ハードディスクシャシモジュールを示す断面図である。図２〜４に示すように、本考案の多層ハードディスクシャシモジュール４は、側面の固定部４１２により、接続装置３の接続板３１に締付固定される。接続板３１には複数の垂直に積み重ねられるように設計されたコネクタ３２が配置され、各コネクタ３２はＳＡＴＡコネクタ（Serial Advance Technology  Attachment，ＳＡＴＡ）、ＳＡＳコネクタ（Serial AttachmentＳＣＳＩ，ＳＡＳ）、ＦＣコネクタ（Fiber  Channel，ＦＣ）またはＵＳＢコネクタ（Universal Serial Bus，ＵＳＢ）などでもよく、シャシモジュール４のシャシ４１の収納空間４１１内の対応するハードディスク５に接続される。ハードディスク５の連結部５２を対応するコネクタ３２に電気的に接続し、もう１つのコネクタ３２を利用して、ＲＴＭ２の連結部２２に電気的に接続させて、ハードディスク５内部の信号を接続板３１のコネクタ３２とＲＴＭ２とを通電させることにより、信号伝達の読取および保存を行なうことができる。
【００１４】
ハードディスク５は多層構造で、シャシモジュール４を利用して基板１の上部に架設されているため、ＡＴＣＡボードの基板１の空間を占有してしまうのを避けることができ、基板１上の配線設計に影響を及ぼさない。基板１は限られた空間において、ハードディスク５の拡張を行ない、ＡＴＣＡボードの使用効率を上げることができる。
【００１５】
以上は本考案の好適な実施例に過ぎず、これらは決して本考案を限定するものではない。本考案のシャシモジュール４は、シャシ４１の収納空間４１１がハードディスク５を配置し、ハードディスク５は多層構造で、ネジ４１４によりシャシ４１の側壁４１３に締付固定されることにより、複数のハードディスク５をＡＴＣＡボードに確実に固定する目的を達成した。また、ハードディスク５の多層構造を利用して、シャシモジュール４に固定することにより、基板１の空間を占有することがなく、ＡＴＣＡボードの基板１がハードディスク５を拡張する目的を達成した。上記の効果を達成できる構造および装置は、本考案に変更や修正を加えたものである。本考案の保護の範囲は、実用新案登録請求の範囲で指定した内容を基準とする。
【図面の簡単な説明】
【００１６】
【図１】本考案の一実施形態によるＡＴＣＡボードの多層ハードディスクシャシモジュールを示す斜視図である。
【図２】本考案の一実施形態によるＡＴＣＡボードの多層ハードディスクシャシモジュールを示す斜視図である。
【図３】本考案の一実施形態によるＡＴＣＡボードの多層ハードディスクシャシモジュールを示す斜視図である。
【図４】本考案の一実施形態によるＡＴＣＡボードの多層ハードディスクシャシモジュールを示す断面図である。
【図５】従来のブレードサーバケースを示す斜視図である。
【符号の説明】
【００１７】
１  基板
１１  側面板
２ ＲＴＭ
２１  電気接続器
２２  連結部
３  接続装置
３１  接続板
３２  コネクタ
４  シャシモジュール  
４１  シャシ
４１１  収納空間
４１２  固定部
４１２１  締付穴
４１３  側壁
４１３１  ネジ穴
４１４  ネジ
５  ハードディスク
５１  締付ネジ穴
５２  連結部
Ａ  ブレードサーバケース
Ａ１  接続板
Ａ１１  第１の接続器
Ａ２  第２の固定部
Ａ３  定位部
Ａ４  収納空間
Ｂ  インターフェイスモジュールモジュール
Ｂ１  第２の接続器
Ｂ２  第１の固定部
【図１】
0003127818.tif 000003
【図２】
0003127818.tif 000004
【図３】
0003127818.tif 000005
【図４】
0003127818.tif 000006
【図５】
0003127818.tif 000007